(57)【要約】【課題】充電電流検出部及び電圧信号検出部と測定器本体とを接続するケーブルの一方を、望ましくはその双方のケーブルを不要とすることにより、ｔａｎδ測定の際の作業性を向上させ、また、充電電流検出部及び電圧信号検出部の取付位置選定の自由度を高めることができるケーブル線路のｔａｎδ測定を提供する。【解決手段】一点接地したケーブル線路の充電電流検出部近傍に第１のＧＰＳ受信部を設け、この第１のＧＰＳ受信部が受信する時刻信号と充電電流検出部からの充電電流との関係を求める一方、ケーブル線路の電圧検出部近傍に第２のＧＰＳ受信部を設け、この第２のＧＰＳ受信部が受信する時刻信号と電圧検出部からの電圧信号との関係を求め、時刻信号に基づいて特定時刻の充電電流と電圧信号の位相差を求め、この位相差からケーブル線路のｔａｎδを求める。【選択図】　　　図１
2004020269.tif 000002
【特許請求の範囲】
【請求項１】
一点接地したケーブル線路の充電電流検出部近傍に第１のＧＰＳ受信部を設け、この第１のＧＰＳ受信部が受信する時刻信号と前記充電電流検出部からの充電電流との関係を求める一方、
前記ケーブル線路の電圧検出部近傍に第２のＧＰＳ受信部を設け、この第２のＧＰＳ受信部が受信する時刻信号と前記電圧検出部からの電圧信号との関係を求め、
前記時刻信号に基づいて特定時刻の充電電流と電圧信号の位相差を求め、
この位相差から前記ケーブル線路のｔａｎδを求めることを特徴とするケーブル線路のｔａｎδ測定方法。
【請求項２】
一点接地したケーブル線路の充電電流検出部近傍に第１のＧＰＳ受信部を備えた子局を設け、この第１のＧＰＳ受信部が受信する時刻信号と前記充電電流検出部からの充電電流との関係を求める一方、
前記ケーブル線路の電圧検出部近傍に第２のＧＰＳ受信部を備えた親局を設け、この第２のＧＰＳ受信部が受信する時刻信号と前記電圧検出部からの電圧信号との関係を求め、
前記子局から前記時刻信号と充電電流との関係を示す情報を前記親局へ移送し、
前記親局において、前記時刻信号に基づいた特定時刻の充電電流と電圧信号の位相差を求め、
この位相差から前記ケーブル線路のｔａｎδを求めることを特徴とするケーブル線路のｔａｎδ測定方法。
【請求項３】
一点接地したケーブル線路の充電電流検出部近傍に第１のＧＰＳ受信部を備えた親局を設け、この第１のＧＰＳ受信部が受信する時刻信号と前記充電電流検出部からの充電電流との関係を求める一方、
前記ケーブル線路の電圧検出部近傍に第２のＧＰＳ受信部を備えた子局を設け、この第２のＧＰＳ受信部が受信する時刻信号と前記電圧検出部からの電圧信号との関係を求め、
前記子局から前記時刻信号と電圧信号との関係を示す情報を前記親局へ移送し、
前記親局において、前記時刻信号に基づいて特定時刻の充電電流と電圧信号の位相差を求め、
この位相差から前記ケーブル線路のｔａｎδを求めることを特徴とするケーブル線路のｔａｎδ測定方法。
【請求項４】
一点接地したケーブル線路の充電電流検出部近傍に第１のＧＰＳ受信部を備えた第１の子局を設け、この第１のＧＰＳ受信部が受信する時刻信号と前記充電電流検出部からの充電電流との関係を求める一方、
前記ケーブル線路の電圧検出部近傍に第２のＧＰＳ受信部を備えた第２の子局を設け、この第２のＧＰＳ受信部が受信する時刻信号と前記電圧検出部からの電圧信号との関係を求め、
前記第１の子局から前記時刻信号と充電電流との関係を示す情報を親局へ移送するとともに、前記第２の子局から前記時刻信号と電圧信号との関係を示す情報を親局へ移送し、
前記親局において、前記時刻信号に基づいて特定時刻の充電電流と電圧信号の位相差を求め、
この位相差から前記ケーブル線路のｔａｎδを求めることを特徴とするケーブル線路のｔａｎδ測定方法。
【請求項５】
ｎ点接地したケーブル線路の各充電電流検出部近傍に第１乃至第ｎのＧＰＳ受信部を設け、この第１乃至第ｎのＧＰＳ受信部が受信する時刻信号と前記各充電電流検出部からの充電電流との関係を求めるとともに、前記時刻信号に基づいた特定時刻の充電電流の総和を求め、
前記ケーブル線路の電圧検出部近傍に第ｎ＋１のＧＰＳ受信部を設け、この第ｎ＋１のＧＰＳ受信部が受信する時刻信号と前記電圧検出部からの電圧信号との関係を求め、
前記時刻信号に基づいて前記特定時刻の充電電流の総和と電圧信号の位相差を求め、
この位相差から前記ケーブル線路のｔａｎδを求めることを特徴とするケーブル線路のｔａｎδ測定方法。
【請求項６】
ｎ点接地したケーブル線路の各充電電流検出部近傍に第１乃至第ｎのＧＰＳ受信部を備えた第１乃至第ｎの子局を設け、この第１乃至第ｎのＧＰＳ受信部が受信する時刻信号と前記各充電電流検出部からの充電電流との関係を求める一方、
前記ケーブル線路の電圧検出部近傍に第ｎ＋１のＧＰＳ受信部を設け、この第ｎ＋１のＧＰＳ受信部が受信する時刻信号と前記電圧検出部からの電圧信号との関係を求め、
前記第１乃至第ｎの子局から前記時刻信号と充電電流との関係を示す各情報を親局へ移送するとともに、前記第ｎ＋１の子局から前記時刻信号と電圧信号との関係を示す情報を前記親局へ移送し、
前記親局において、前記第１乃至第ｎの子局からの情報に基づいて特定時刻の充電電流の総和を求めるとともに、この充電電流の総和と前記特定時刻の電圧信号との位相差を求め、
この位相差から前記ケーブル線路のｔａｎδを求めることを特徴とするケーブル線路のｔａｎδ測定方法。
【発明の詳細な説明】
【０００１】
【発明の属する技術分野】
本発明は、ケーブル線路のｔａｎδ測定方法に係り、さらに詳しくは充電電流の位相と電圧位相の位相差からｔａｎδを求めるケーブル線路のｔａｎδ測定方法に関するものである。
【０００２】
【従来の技術】
ケーブルの絶縁性能を評価する一つの指標としてｔａｎδ（誘電正接）が知られており、布設されたケーブル線路の接地線から充電電流を検出する一方、前記ケーブル線路の高圧充電部から線路電圧を検出し、これらの位相差からｔａｎδを求める方法が知られている。
【０００３】
また、多点接地されたケーブル線路のｔａｎδを測定する方法として、特開平８−６２２６５号公報に記載のものがある。
【０００４】
この測定方法は、多点接地されたケーブル線路のすべての接地線に設けた充電電流検出部のそれぞれの近傍に、親局と光ファイバケーブル等で接続された子局を設け、各子局は、親局からの測定指令信号の受信と同期して前記各接地線に流れる充電電流を測定し、この測定結果を後述する位相合わせのための応答遅れ情報とともに親局に送信する。一方、親局は、親局と各子局との間の信号伝送の時間差と各子局から送信されるそれぞれの応答情報に基づいて、各子局から送信される充電電流の位相合わせを行って充電電流の総和を求め、この充電電流の総和と高圧充電部からの電圧信号との位相差を求めた後、さらに電流成分を求めてこの電流成分の除算結果から前記ケーブル線路のｔａｎδを求めるものである。
【０００５】
【発明が解決しようとする課題】
しかしながら、前者の測定方法においては、ｔａｎδを演算する測定器本体へ充電電流や電圧信号を同時に取込む必要があるため、充電電流検出部及び電圧検出部と測定器本体とをケーブルで接続しており、このため、ｔａｎδ測定の際に前記ケーブルの布設や接続作業が必要となる。また、上述のケーブルが必要になるため、充電電流検出部及び電圧検出部の配置位置がケーブル長により限定され、特に電圧信号をより安全な位置で検出することが困難となる場合があり、さらに、充電電流検出部及び電圧検出部が離れている場合には、上述のケーブル接続が困難となり、かかるケーブル線路のｔａｎδ測定そのものが困難となる場合があった。
【０００６】
また、後者の測定方法では、多点接地されたケーブル線路のｔａｎδ測定は可能となるが、かかる測定方法においても、親局と各子局とを接続する光ファイバケーブル等が必要となるため、その布設や接続作業が必要となるといった問題があった。
【０００７】
本発明は、かかる問題点を解決するために成されたものであり、充電電流検出部及び電圧検出部と測定器本体とを接続するケーブルの一方を、望ましくはその双方のケーブルを不要とすることにより、ｔａｎδ測定の際の作業性を向上させ、また、充電電流検出部及び電圧検出部の取付位置選定の自由度を高めることができるケーブル線路のｔａｎδ測定方法を提供することを目的とする。
【０００８】
【課題を解決するための手段】
請求項１記載のケーブルのｔａｎδ測定方法は、一点接地したケーブル線路の充電電流検出部近傍に第１のＧＰＳ受信部を設け、この第１のＧＰＳ受信部が受信する時刻信号と前記充電電流検出部からの充電電流との関係を求める一方、前記ケーブル線路の電圧検出部近傍に第２のＧＰＳ受信部を設け、この第２のＧＰＳ受信部が受信する時刻信号と前記電圧検出部からの電圧信号との関係を求め、前記時刻信号に基づいて特定時刻の充電電流と電圧信号の位相差を求め、この位相差から前記ケーブル線路のｔａｎδを求めることを特徴とする。
【０００９】
請求項２記載のケーブルのｔａｎδ測定方法は、一点接地したケーブル線路の充電電流検出部近傍に第１のＧＰＳ受信部を備えた子局を設け、この第１のＧＰＳ受信部が受信する時刻信号と前記充電電流検出部からの充電電流との関係を求める一方、前記ケーブル線路の電圧検出部近傍に第２のＧＰＳ受信部を備えた親局を設け、この第２のＧＰＳ受信部が受信する時刻信号と前記電圧検出部からの電圧信号との関係を求め、前記子局から前記時刻信号と充電電流との関係を示す情報を前記親局へ移送し、前記親局において、前記時刻信号に基づいた特定時刻の充電電流と電圧信号の位相差を求め、この位相差から前記ケーブル線路のｔａｎδを求めることを特徴とする。
この方法のように、充電電流と電圧信号の位相差からｔａｎδを演算する親局を電圧検出部の近傍に設けてもよい。
【００１０】
請求項３記載のケーブルのｔａｎδ測定方法は、一点接地したケーブル線路の充電電流検出部近傍に第１のＧＰＳ受信部を備えた親局を設け、この第１のＧＰＳ受信部が受信する時刻信号と前記充電電流検出部からの充電電流との関係を求める一方、前記ケーブル線路の電圧検出部近傍に第２のＧＰＳ受信部を備えた子局を設け、この第２のＧＰＳ受信部が受信する時刻信号と前記電圧検出部からの電圧信号との関係を求め、前記子局から前記時刻信号と電圧信号との関係を示す情報を前記親局へ移送し、前記親局において、前記時刻信号に基づいて特定時刻の充電電流と電圧信号の位相差を求め、この位相差から前記ケーブル線路のｔａｎδを求めることを特徴とする。
この方法のように、上述の親局を充電電流検出部の近傍に設けてもよい。
【００１１】
請求項４記載のケーブル線路のｔａｎδ測定方法は、一点接地したケーブル線路の充電電流検出部近傍に第１のＧＰＳ受信部を備えた第１の子局を設け、この第１のＧＰＳ受信部が受信する時刻信号と前記充電電流検出部からの充電電流との関係を求める一方、前記ケーブル線路の電圧検出部近傍に第２のＧＰＳ受信部を備えた第２の子局を設け、この第２のＧＰＳ受信部が受信する時刻信号と前記電圧検出部からの電圧信号との関係を求め、前記第１の子局から前記時刻信号と充電電流との関係を示す情報を親局へ移送するとともに、前記第２の子局から前記時刻信号と電圧信号との関係を示す情報を親局へ移送し、前記親局において、前記時刻信号に基づいて特定時刻の充電電流と電圧信号の位相差を求め、この位相差から前記ケーブル線路のｔａｎδを求めることを特徴とする。
この方法のように、上述の親局を充電電流検出部及び電圧検出部とは離れた位置に設けてもよい。
【００１２】
請求項５記載のケーブルのｔａｎδ測定方法は、ｎ点接地したケーブル線路の各充電電流検出部近傍に第１乃至第ｎのＧＰＳ受信部を設け、この第１乃至第ｎのＧＰＳ受信部が受信する時刻信号と前記各充電電流検出部からの充電電流との関係を求めるとともに、前記時刻信号に基づいた特定時刻の充電電流の総和を求め、
前記ケーブル線路の電圧検出部近傍に第ｎ＋１のＧＰＳ受信部を設け、この第ｎ＋１のＧＰＣ受信部が受信する時刻信号と前記電圧検出部からの電圧信号との関係を求め、前記時刻信号に基づいて前記特定時刻の充電電流の総和と電圧信号の位相差を求め、この位相差から前記ケーブル線路のｔａｎδを求めることを特徴とする。
【００１３】
請求項６記載のケーブルのｔａｎδ測定方法は、ｎ点接地したケーブル線路の各充電電流検出部近傍に第１乃至第ｎのＧＰＳ受信部を備えた第１番目乃至第ｎ番目の子局を設け、この第１乃至第ｎのＧＰＳ受信部が受信する時刻信号と前記各充電電流検出部からの充電電流との関係を求める一方、前記ケーブル線路の電圧検出部近傍に第ｎ＋１のＧＰＳ受信部を設け、この第ｎ＋１のＧＰＣ受信部が受信する時刻信号と前記電圧検出部からの電圧信号との関係を求め、前記第１乃至第ｎの子局から前記時刻信号と充電電流との関係を示す各情報を親局へ移送するとともに、前記第ｎ＋１の子局から前記時刻信号と電圧信号との関係を示す情報を前記親局へ移送し、前記親局において、前記第１乃至第ｎの子局からの情報に基づいて特定時刻の充電電流の総和を求めるとともに、この充電電流の総和と前記特定時刻の電圧信号との位相差を求め、この位相差から前記ケーブル線路のｔａｎδを求めることを特徴とする。
この方法のように、多点接地されたケーブル線路において、上述の親局を各充電電流検出部及び電圧検出部とは離れた位置に設けてもよい。
【００１４】
尚、本発明において、移送とは、データをＰＨＳ等の無線通信システムを介して子局から親局へ伝送するのみならず、情報記録したフロッピー（登録商標）ディスク等の記録媒体を介して情報を子局から親局へ伝送するものも含む意味で用いている。
【００１５】
【発明の実施の形態】
以下に、本発明の実施の形態を図面を用いて詳細に説明する。
図１は本発明の第１の実施の形態に係るケーブルのｔａｎδ測定方法を用いた測定システムの構成図、図２は時刻信号（時刻パルス）ａ、特定時刻信号ｂ、充電電流信号ｃ及び電圧信号ｄとの関係を示す波形図、図３は充電電流信号ｃの波形データ及び電圧信号ｄの波形データからｔａｎδを求める工程を示したフローチャートである。
【００１６】
図１において、１点接地したケーブル線路１は、５０Ｈｚの商用周波電源（不図示）に接続されており、このケーブル線路１の接地線に設けられた充電電流検出部２の近傍には、ＧＰＳ衛星（不図示）が送出する時刻信号（時刻パルス）ａをＧＰＳアンテナ３を介して受信するＧＰＳ受信部４と、充電電流検出部２からの充電電流信号ｃ及びＧＰＳ受信部４からの時刻信号ａを取込む充電電流信号記録部５が設けられている。
【００１７】
また、前記ケーブル線路１の高圧充電部に設けられた電圧検出部６の近傍には、同様に、ＧＰＳ衛星（不図示）が送出する時刻信号（時刻パルス）ａをＧＰＳアンテナ３を介して受信するＧＰＳ受信部７と、電圧検出部６からの電圧信号ｄ及びＧＰＳ受信部７からの時刻信号ａを取込む電圧信号記録部８が設けられている。
【００１８】
充電電流信号記録部５は、時刻信号ａに基づく時刻が後述する測定開始時刻ｂになると、図２（ａ）に示すように、充電電流ｃの波形の取込みを開始し、少なくとも１サイクル以上の時間幅にわたって充電電流ｃの波形を取込み、これをＡ／Ｄ変換して充電電流ｃの波形データとしてｔａｎδ演算部９へ送出する。
【００１９】
また、電圧信号記録部８は、同様に時刻信号ａに基づく時刻が後述する測定開始時刻ｂとなると、図２（ｂ）に示すように、電圧信号ｄの波形の取込みを開始し、少なくとも１サイクル以上の時間幅にわたって電圧信号ｄの波形を取込み、これをＡ／Ｄ変換して電圧信号ｄの波形データとしてｔａｎδ演算部９へ送出する。尚、充電電流信号記録部５からｔａｎδ演算部９への充電電流ｃの波形データの伝送には、一例としてＰＨＳ等の無線通信システムが利用される。
【００２０】
ｔａｎδ演算部９は、図３のフローチャートに示すように、測定開始時刻ｂからの充電電流信号ｃの波形データをＦＦＴアナライザーを用いてフーリエ変換し、ケーブル線路１に接続された商用周波電源の基本周波数５０Ｈｚの充電電流位相（基準波形の位相差）を求めるとともに、同様に測定開始時刻ｂからの電圧信号ｄの波形データをＦＦＴアナライザーを用いてフーリエ変換し、上記基本周波数５０Ｈｚの電圧位相（基準波形との位相差）を求め、この充電電流位相と電圧位相の位相差からケーブル線路１のｔａｎδを求める機能を備えている。
【００２１】
入力部１０は、測定作業者が上述の測定開始時刻ｂを入力するためのものであり、入力された測定開始時刻データは、一例としてＰＨＳ等の無線通信システムを利用して充電電流信号記録部５及び電圧信号記録部８に送出される。
【００２２】
このように第１の実施の形態に係るケーブル線路のｔａｎδ測定方法によれば、ＧＰＳ受信部４、７が受信する時刻信号ａを基準に、測定作業者が入力した測定開始時刻ｂに同期して求めた充電電流位相と電圧位相の位相差を求め、この位相差からケーブル線路１のｔａｎδを求めることができるため、充電電流位相データや電圧位相データの双方を例えばＰＨＳ等の無線通信システムを利用して演算部９に伝送することが可能となり、充電電流検出部２及び電圧検出部６と演算部９を接続するケーブルが不要となる。これにより、ｔａｎδ測定の際の作業性が向上するとともに、充電電流検出部２や電圧検出部６の取付位置選定の自由度を高めることができ、また、充電電流検出部２と電圧検出部６が離れたケーブル線路であっても、そのｔａｎδを容易に測定することができる。
【００２３】
尚、充電電流位相データ及び電圧位相データの一方のみを例えばＰＨＳ等の無線通信システムを利用してｔａｎδ演算部９に伝送すれば、かかるＰＨＳ等の無線通信システムを利用した方のケーブルのみが不要となる。
【００２４】
また、充電電流信号ｃの波形データや電圧信号ｄの波形データの伝送には、上記のＰＨＳ等の無線通信システムのみならず、充電電流信号記録部５や電圧信号記録部８で各々の波形データをフロッピーディスク等の記録媒体に書き込み、この記録媒体をｔａｎδ演算部９に移送してｔａｎδ演算部９において各々の波形データを読み出す方法を用いてもよい。
【００２５】
次に本発明の第２の実施の形態について説明する。
図４は本発明の第２の実施の形態に係るケーブルのｔａｎδ測定方法を用いた測定システムの構成図である。尚、図４において、図１に示す構成と同一の構成には同一の符号を付してその説明は省略する。
【００２６】
この第２の実施の形態においては、充電電流検出部２の近傍に子局１１が設けられており、また、電圧検出部６の近傍に親局１２が設けられている。
【００２７】
子局１１は、ＧＰＳアンテナ３を有するＧＰＳ受信部４及び充電電流信号記録部５を備え、さらに、後述する親局中の送受信部１４が送信する測定開始時刻ｂに関す時刻信号を受信するとともに、充電電流信号記録部５が出力する充電電流信号ｃの波形データを送受信部１４へ送信する送受信部１３を備えている。
【００２８】
また、親局１２は、ＧＰＳアンテナ３を有するＧＰＳ受信部７、電圧信号記録部８、ｔａｎδ演算部９及び入力部１０を備え、さらに、入力部１０が出力する測定開始時刻ｂに関する時刻信号を子局１１中の送受信部１３へ送信するとともに、送受信部１３が送信する充電電流信号ｃの波形データを受信する送受信部１４を備えている。尚、送受信部１３，１４間の送受信はアンテナ３ａ，３ａを介して行われ、送受信部１３，１４の一例として、ＰＨＳ等の無線通信システムが用いられる。
【００２９】
次に本発明の第３の実施の形態について説明する。
図５は本発明の第３の実施の形態に係るケーブル線路のｔａｎδ測定方法を用いた測定システムの構成図である。尚、図５において、図１及び図４に示す構成と同一の構成には同一の符号を付してその説明は省略する。
【００３０】
この第３の実施の形態においては、電圧検出部６の近傍に子局１１ａがもうけられており、また、充電電流検出部２の近傍に親局１２ａが設けられている。
【００３１】
子局１１ａは、ＧＰＳアンテナ３を有するＧＰＳ受信部７及び電圧信号記録部８を備え、さらに、親局１２ａ中の送受信部１４が送信する測定開始時刻ｂに関する時刻信号を受信するとともに、電圧信号記録部８が出力する電圧信号ｄの波形データを送受信部１４へ送信する送受信部１３を備えている。
【００３２】
また、親局１２ａは、ＧＰＳアンテナを有するＧＰＳ受信部４、充電電流信号記録部５、ｔａｎδ演算部９及び入力部１０を備え、さらに、入力部１０が出力する測定開始時刻ｂに関する時刻信号を送受信部１３へ送信するとともに、送受信部１３が送信する電圧信号ｄの波形データを受信する送受信部１４を備えている。
【００３３】
尚、送受信部１３，１４間の送受信はアンテナ３ａを介して行われ、送受信部１３，１４の一例として、ＰＨＳ等の無線通信システムが用いられる。
【００３４】
次に本発明の第４の実施の形態について説明する。
図６は本発明の第４の実施の形態に係るケーブル線路のｔａｎδ測定方法を用いた測定システムの構成図である。尚、図６において、図１、図４及び図５に示す構成と同一の構成には同一の符号を付してその説明は省略する。
【００３５】
この第４の実施の形態においては、充電電流検出部２の近傍に子局１１ｂが設けられ、また、電圧検出部６の近傍に子局１１ｃが設けられており、さらに、子局１１ｂ及び子局１１ｃとは離れた場所に親局１２ｃが設けられている。
【００３６】
子局１１ｂは、ＧＰＳアンテナ３を有するＧＰＳ受信部４及び充電電流信号記録部５を備え、さらに、親局１２ｃ中の送受信部１４が送信する測定開始時刻ｂに関する時刻信号を受信するとともに、充電電流信号記録部５が出力する充電電流信号ｃの波形データを送受信部１４へ送信する送受信部１３を備えている。
【００３７】
また、子局１１ｃは、ＧＰＳアンテナ３を有するＧＰＳ受信部７、電圧信号記録部８を備え、さらに、送受信部１４が送信する測定開始時刻ｂに関する時刻信号を受信するとともに、電圧信号記録部８が出力する電圧信号ｄの波形データを送受信部１４へ送信する送受信部１３ａを備えている。
【００３８】
さらに、親局１２ｃは、ｔａｎδ演算部９及び入力部１０を備え、また、入力部１０が出力する測定開始時刻ｂに関する時刻信号を送受信部１３及び１３ａへ送信するとともに、送受信部１３が送信する充電電流信号ｃの波形データと送受信部１３ａが送信する電圧信号ｄの波形データを受信する送受信部１４を備えている。尚、送受信部１３及び１３ａと送受信部１４との間の送受信はアンテナ３ａ、・・・を介して行われ、送受信部１３，１３ｂ及び１４の一例として、ＰＨＳ等の無線通信システムが用いられる。
【００３９】
これら第２乃至第４の実施の形態においても、親局１２（１２ａ、１２ｃ）と子局１１（１１ａ、１１ｂ、１１ｃ）を接続するケーブルが不要となるため、ｔａｎδ測定の際の作業性が向上し、また、充電電流検出部２や電圧検出部６の取付位置選定の自由度を高めることができる。また、充電電流検出部２と電圧検出部６が離れたケーブル線路であっても、そのｔａｎδを容易に測定することができる。
【００４０】
以上は本発明に係るケーブル線路のｔａｎδ測定方法を１点接地のケーブル線路に適用した場合の実施の形態を説明したが、次に、本発明に係るケーブル線路のｔａｎδ測定方法を多点（ｎ点）接地のケーブル線路に適用した場合の実施の形態について説明する。
【００４１】
図７は本発明の第５の実施の形態に係るケーブル線路のｔａｎδ測定方法を用いた測定システムの構成図である。
【００４２】
図７において、多点（ｎ点）接地したケーブル線路１は、５０Ｈｚの商用周波電源（不図示）に接続されており、このケーブル線路１のすべての接地線に設けられた各充電電流検出部２の近傍には、ＧＰＳ衛星（不図示）が送出する時刻信号（時刻パルス）ａをＧＰＳアンテナ３を介して受信するＧＰＳ受信部４と、充電電流検出部２からの充電電流信号ｃ及びＧＰＳ受信部４からの時刻信号ａを取り込む充電電流信号記録部５，５，・・・が設けられている。
【００４３】
また、前記ケーブル線路１の高圧充電部に設けられた電圧検出部６の近傍には、同様にＧＰＳ衛星（不図示）が送出する時刻信号（時刻パルス）ａをＧＰＳアンテナを介して受信するＧＰＳ受信部（第ｎ＋１のＧＰＳ受信部に対応）７と、電圧検出部６からの電圧信号ｄ及びＧＰＳ受信部７からの時刻信号ａを取り込む電圧信号記録部８が設けられている。
【００４４】
各充電電流信号記録部５，５，・・・は、時刻信号ａに基づく時刻が後述する測定開始時刻ｂとなると、それぞれの充電電流検出部２から充電電流信号ｃの波形の取り込みを開始し、少なくとも１サイクル以上の時間幅にわたって充電電流信号ｃの波形を取り込み、これをＡ／Ｄ変換して充電電流総和演算部１７へ送出する。
【００４５】
充電電流総和演算部１７は、各充電電流信号記録部５，５，・・・から送出されたそれぞれの充電電流信号ｃの波形データから全充電電流信号ｃ１の波形データを求めてｔａｎδ演算部９へ送出する。
【００４６】
一方、電圧信号記録部８は、同様に時刻信号ａに基づく時刻が後述する測定開始時刻ｂとなると、電圧信号ｄの波形の取り込みを開始し、少なくとも１サイクル以上の時間幅にわたって取り込み、これをＡ／Ｄ変換して電圧信号ｄの波形データとしてｔａｎδ演算部へ送出する。
【００４７】
尚、各充電電流信号記録部５，５，・・・から充電電流総和演算部１７への充電電流信号ｃの波形データの伝送や電圧信号記録部８からｔａｎδ演算部９への電圧信号ｄの波形データの伝送には、一例としてＰＨＳ等の無線通信システムが利用される。
【００４８】
ｔａｎδ演算部９は、測定開始時刻ｂからの全充電電流信号ｃａの波形データをＦＦＴアナライザーを用いてフーリエ変換し、ケーブル線路１に接続された商用周波数電源の基本周波数５０Ｈｚの充電電流位相（基準波形との位相差）を求めるとともに、同様に測定開始時刻ｂからの電圧信号ｄの波形データをＦＦＴアナライザーを用いてフーリエ変換し、上記商用周波数電源の基本周波数５０Ｈｚの電圧位相（基準波形との位相差）を求め、この全充電電流位相と電圧位相の位相差からケーブル線路のｔａｎδを求める機能を備えている。
【００４９】
入力部１０は、測定作業者が上述の測定開始時刻ｂを入力するためのものであり、入力された測定開始時刻データは、一例としてＰＨＳ等の無線通信システムを利用して各充電電流信号記録部５，５，・・・及び電圧信号記録部８に送出される。
【００５０】
このように第５の実施の形態に係るケーブル線路のｔａｎδ測定方法によれば、ＧＰＳ衛星が送出する時刻信号ａを基準に、測定作業者が入力した測定開始時刻ｂに同期して求めた全充電電流位相と電圧位相の位相差を求め、この位相差からケーブル線路１のｔａｎδを求めることができるため、各充電電流検出部２，２，・・・と充電電流総和演算部１７を接続するケーブルや電圧検出部６とｔａｎδ演算部９を接続するケーブルが不要となり、ｔａｎδ測定の際の作業性が向上し、また、各充電電流検出部２，２，・・・や電圧検出部６の取付位置選定の自由度を高めることができる。尚、各充電電流信号ｃの波形データや電圧信号ｄの波形データの伝送には、上記のＰＨＳ等の無線通信システムのみならず、各充電電流信号記録部５，５，・・・や電圧信号記録部８でそれぞれの波形データをフロッピーディスク等の記録媒体に書き込み、この記録媒体を充電電流総和演算部１７及びｔａｎδ演算部９に移送してそれぞれの波形データを読み出す方法を用いてもよい。
最後に、本発明の第６の実施の形態について説明する。
図８は本発明の第６の実施の形態に係るケーブル線路のｔａｎδ測定方法を用いた測定システムの構成図である。尚、図８において、図７に示す構成と同一の構成には同一の符号を付してその説明は省略する。
【００５１】
この第６の実施の形態においては、各充電電流検出部２，２，・・・の近傍に子局（第１乃至第ｎの子局に対応）２１が設けられており、また、電圧検出部６の近傍に子局（第ｎ＋１の子局に対応）２２が設けられており、さらに、これら子局２１及び２２とは離れた位置に親局２３が設けられている。
【００５２】
各子局２１は、ＧＰＳアンテナ３を有するＧＰＳ受信部（第１乃至第ｎのＧＰＳ受信部に対応）４及び充電電流信号記録部５を備え、また、親局２３に設けた送受信部１４が送信する測定時刻ｂに関する時刻信号を受信するとともに、充電電流信号記録部５が出力する充電電流信号ｃの波形データを送受信部１４へ送信する送受信部１３を備えている。
【００５３】
子局２２は、ＧＰＳアンテナ３を有するＧＰＳ受信部（第ｎ＋１のＧＰＳ受信部に対応）７及び電圧信号記録部８を備え、また、親局２３に設けた送受信部１４が送信する測定開始時刻ｂに関する時刻信号を受信するとともに、電圧信号記録部８が出力する電圧信号ｄの波形データを送受信部１４へ送信する送受信部１３ａを備えている。
【００５４】
一方、親局２３は、ｔａｎδ演算部９、入力部１０及び充電電流総和演算部１７を備え、また、入力部１０が出力する測定開始時刻ｂに関する時刻信号を送受信部１３及び１３ａへ送信するとともに、各送受信部１３が送信するそれぞれの充電電流信号ｃの波形データと送受信部１３ａが送信する電圧信号ｄの波形データを受信する送受信部１４を備えている。尚、送受信部１３及び１３ａと送受信部１４との間の送受信はアンテナ３ａ，・・・を介して行われ、送受信部１３，１３ａ及び１４の一例として、ＰＨＳ等の無線通信システムが用いられる。
【００５５】
この第６の実施の形態においても、親局２３と子局２１，２１，・・・及び子局２２を接続するケーブルが不要となるため、ｔａｎδ測定の際の作業性が向上し、また、充電電流検出部２，２，・・・や電圧検出部６の取付位置選定の自由度を高めることができる。また、充電電流検出部２，２，・・・と電圧検出部６が離れたケーブル線路であっても、そのｔａｎδを容易に測定することができる。
【００５６】
【発明の効果】
本発明のケーブル線路のｔａｎδ測定方法によれば、ＧＰＳ受信部が受信する時刻信号を充電電流信号及び電圧信号測定のための同期信号として用いることができるため、充電電流や電圧信号を測定器本体へ必ずしも同時入力する必要がなく、従って、各検出部から測定器本体への充電電流信号や電圧信号の伝送に例えばＰＨＳ等の無線通信システムを利用することができ、この結果、各測定部と測定器本体を接続するケーブルが不要となる。
【００５７】
これにより、ｔａｎδ測定の際の作業性が向上し、また、充電電流検出部や電圧検出部の取付位置選定の自由度を高めることができ、さらに、充電電流検出部と電圧検出部が離れたケーブル線路であっても、そのｔａｎδを容易に測定することができる。
【図面の簡単な説明】
【図１】本発明の第１の実施の形態に係る測定システムの構成図。
【図２】ＧＰＳ受信部が受信する時刻信号ａ、入力部から指定する特定時刻ｂ、充電電流ｃ、および電圧ｄの関係を説明する図。
【図３】ｔａｎδを求める工程を示すフローチャート。
【図４】本発明の第２の実施の形態に係る測定システムの構成図。
【図５】本発明の第３の実施の形態に係る測定システムの構成図。
【図６】本発明の第４の実施の形態に係る測定システムの構成図。
【図７】本発明の第５の実施の形態に係る測定システムの構成図。
【図８】本発明の第６の実施の形態に係る測定システムの構成図。
【符号の説明】
１…ケーブル線路、２…充電電流検出部、３…ＧＰＳアンテナ、３ａ…ＰＨＳアンテナ、４…ＧＰＳ受信部、５…充電電流信号記録部、６…電圧検出部、７…ＧＰＳ受信部、８…電圧信号記録部、９…ｔａｎδ演算部、１０…入力部、１１，１１ａ，１１ｂ，１１ｃ，２１，２２・・・子局、１２，１２ａ，１２ｃ，２３…親局、１３，１３ａ…子局の送受信部、１４…親局の送受信部、１５，１６…ＧＰＳ受信部、１７充電電流総和演算部、ａ…ＧＰＳ信号、ｂ…特定時刻信号、ｃ…充電電流信号、ｄ…電圧信号
【図１】
2004020269.tif 000003
【図２】
2004020269.tif 000004
【図３】
2004020269.tif 000005
【図４】
2004020269.tif 000006
【図５】
2004020269.tif 000007
【図６】
2004020269.tif 000008
【図７】
2004020269.tif 000009
【図８】
2004020269.tif 000010